(57)【要約】【課題】電子部品が布帛から剥がれたり脱落する不具合をなくし、ユーザーが布帛を着たままで電子部品を対応する測定位置に固定して外部の医療装置に連結することができる布帛構造を提供する。【解決手段】布帛本体１１は、ユーザーに接触される第１の面１１２と、該第１の面１１２と反対側の第２の面１１３と、第１の面１１２と第２の面１１３との間に設けられた通路構造１１１と、を有し、通路構造１１１は互いに交差して連通される複数の通路１１１ａを有する。電子モジュールは、布帛本体１１に設けられた複数の電子部品を有し、各電子部品は帯状になり通路１１１ａに延伸されるように設けられている。【選択図】図１
2018182285.tif 000002
【特許請求の範囲】
【請求項１】
少なくとも布帛と、電子モジュールと、を備える布帛構造であって、前記布帛はユーザーと接触する布帛本体を有し、
前記布帛本体は、前記ユーザーに接触される第１の面と、該第１の面と反対側の第２の面と、前記第１の面と前記第２の面との間に設けられた通路構造と、を有し、前記通路構造は互いに交差して連通する複数の通路を有し、
前記電子モジュールは、前記布帛本体に設けられた複数の電子部品を有し、各前記電子部品は帯状になり前記通路に延伸されるように設けられていることを特徴とする布帛構造。
【請求項２】
更に前記布帛本体に設けられた制御ユニットを備え、
前記制御ユニットは、前記電子モジュールの作動を制御するように前記電子モジュールに電気的に接続されていることを特徴とする請求項１に記載の布帛構造。
【請求項３】
更に前記制御ユニットに電気的に接続される電源モジュールを有し、
前記制御ユニットが前記電源モジュールと電気的に接続された場合、前記制御ユニットが前記電源モジュールから電力を受けて前記電子モジュールの作動を制御することを特徴とする請求項２に記載の布帛構造。
【請求項４】
前記電源モジュールは、充電式バッテリーモジュールであることを特徴とする請求項３に記載の布帛構造。
【請求項５】
前記布帛は、前記布帛本体の前記第２の面と連結されたポーチ本体を更に有し、前記ポーチ本体は、前記電源モジュールを収容する収納空間が形成されていることを特徴とする請求項４に記載の布帛構造。
【請求項６】
前記電子部品は、電熱線であり、
前記制御ユニットは、前記布帛本体の前記第２の面から露出するように設けられたスイッチモジュールを有し、
前記スイッチモジュールは、前記電源モジュールと前記電子部品とが電気的に接続可能に切り替えるように前記電源モジュール及び前記電子部品の間に設けられていることを特徴とする請求項３に記載の布帛構造。
【請求項７】
前記電子部品は、複数のグループを有し、
前記スイッチモジュールは、それぞれ対応する前記電子部品の前記グループと前記電源モジュールとに電気的に接続された、複数のスイッチ素子を有し、
各前記スイッチ素子は、対応する前記電子部品の前記グループと前記電源モジュールとの間を電気的に接続するように操作可能にされることを特徴とする請求項６に記載の布帛構造。
【請求項８】
前記布帛本体は、第１の部分と第２の部分とを有し、
前記電子部品は、前記布帛本体の前記第１の部分に配置された第１の電熱線グループと、前記布帛本体の前記第２の部分に配置された第２の電熱線グループと、を含み、
前記スイッチ素子は、前記第１の電熱線グループ及び前記電源モジュールの間に電気的に接続された第１のスイッチ素子と、前記第２の電熱線グループ及び前記電源モジュールの間に電気的に接続された第２のスイッチ素子と、を含むことを特徴とする請求項７に記載の布帛構造。
【請求項９】
前記布帛本体の前記第２の面は、光透過性を有し、
各前記電子部品は、帯状にされた発光素子であり、
前記電子モジュールは、複数の前記発光素子を有し、異なる発光モードを切り替えるように操作可能にされ、
前記制御ユニットは、
前記布帛本体の前記第２の面から露出するように設けられ、前記発光モードにおける所望の一つに関連する入力信号を生成するように操作可能にされる、入力ユニットと、
前記電源モジュール、前記入力ユニット、及び前記電子モジュールに電気的に接続され、前記電源モジュールから電力が受けられ、前記入力ユニットから前記入力信号が受信され、また、受けた前記電力と受信した前記入力信号に基づいて複数の制御信号を生成し、前記発光素子に送信するように構成され、前記発光素子を前記制御信号によって前記発光モードにおける前記所望の一つで表示させる、制御モジュールと、を有することを特徴とする請求項３に記載の布帛構造。
【請求項１０】
前記発光素子は、互いに直列に連結されて帯状になった複数の発光ダイオードからなることを特徴とする請求項９に記載の布帛構造。
【請求項１１】
各前記電子部品は、導線であり、前記布帛本体の前記第２の面から延びる第１の端部と、該第１の端部の反対側の第２の端部と、を有し、
前記電子モジュールは更に、前記布帛本体の前記第１の面に設けられた複数の導電パッドを有し、
各前記導電パッドは、対応する前記電子部品の前記第２の端部と電気的に接続されていることを特徴とする請求項１に記載の布帛構造。
【請求項１２】
前記布帛本体の前記第１の面が前記ユーザーに接触した時、各前記導電パッドがセンシングパッドとして前記ユーザーから生理信号を受信し、受信された前記生理信号が対応する前記電子部品の前記第２の端部を介して送出されることを特徴とする請求項１１に記載の布帛構造。
【請求項１３】
前記布帛本体の前記第１の面が前記ユーザーに接触していて且つ前記電子部品の前記第２の端部が電気信号を受信すると、
受信された前記電気信号は前記導電パッドを介して前記ユーザーに送出されることを特徴とする請求項１１に記載の布帛構造。
【発明の詳細な説明】
【技術分野】
【０００１】
本発明は、例えば電子部品を装着する布帛構造（FABRIC DEVICE）に関する。
【背景技術】
【０００２】
従来、通電すると作動して発熱可能な複数の電熱線が布帛本体に直接粘着又は縫着された電熱ウェア、若しくは複数の電熱線が固定された電熱板を布帛本体に装着した電熱ウェア（例えば特許文献１参照）が防寒アイテムとして既に用いられている。しかし、電熱線が固定された電熱ウェアを着用したり洗濯したりしていくうちに電熱線や電熱板が布帛本体から剥がれたり脱落する不具合がある。
【０００３】
また、警備、交通誘導、夜間作業や、娯楽活動のために、通電すると作動して発光可能な電子素子が取り付けられた作業服が既に用いられている（例えば特許文献２参照）。作業服の布帛本体には複数の発光素子と、発光素子と電気的に接続された導電線とが装着されている。発光素子と導電線は通常例えば粘着、縫着等の公知の固定方法によって布帛本体に固定されているので、従来の電熱ウェアと同様に、使用していくうちに、布帛本体から剥がれたり脱落する問題点がある。
【０００４】
また、医療分野において用いられている生理信号測定装置は、患者の生理状態を収集・監視するために、複数の測定ワイヤを有し、各測定ワイヤは感知端部を有する。生理信号測定装置を以って患者の生理状態を検出する時には、患者の着ている服を外し、各測定ワイヤを対応する測定位置に固定すれば、各測定位置による生理信号を得ることができる。しかし、各測定ワイヤを対応する測定位置に固定するために患者の着ている服を外さなければならないため、手間がかかる上患者に不快な思いをさせる問題点がある。
【先行技術文献】
【特許文献】
【０００５】
【特許文献１】台湾登録実用新案第５０１７４２号明細書
【特許文献２】台湾登録実用新案第４８２９７４号明細書
【発明の概要】
【発明が解決しようとする課題】
【０００６】
上記問題点に鑑みて、一の観点によれば、本発明は、電熱線や、発光素子、測定ワイヤ等の電子部品が安定して布帛本体に固定可能な布帛構造を提供することを目的とする。
【０００７】
また、他の観点によれば、本発明は、医療用器具に電気的に接続可能な布帛構造を提供することも目的とする。
【課題を解決するための手段】
【０００８】
上記目的を達成するために、本発明に係る布帛構造は、少なくとも布帛と、電子モジュールとを備える布帛構造であって、前記布帛はユーザーと接触する布帛本体を有し、前記布帛本体は、前記ユーザーに接触される第１の面と、該第１の面と反対側の第２の面と、前記第１の面と前記第２の面との間に設けられた通路構造とを有し、前記通路構造は互いに交差して連通する複数の通路を有し、前記電子モジュールは、前記布帛本体に設けられた複数の電子部品を有し、各前記電子部品は帯状になり前記通路に延伸されるように設けられている、ことを特徴とする。
【発明の効果】
【０００９】
布帛本体の第１の面と第２の面との間に互いに交差して連通される複数の通路を有する通路構造が設けられ、また、各電子部品は帯状になり通路に延伸されるように設けられていることにより、電子部品が布帛から剥がれたり脱落する不具合をなくし、ユーザーが布帛をつけたままで電子部品を対応する測定位置に固定して外部の医療装置に連結することができる。
【００１０】
本発明の他の特徴および利点は、添付の図面を参照する以下の実施形態の詳細な説明において明白になるであろう。
【図面の簡単な説明】
【００１１】
【図１】本発明に係る布帛構造の第１の実施例を概略して示す図である。
【図２】本発明に係る布帛構造の第１の実施例を概略して示す図である。
【図３】図２の線III−IIIの断面図である。
【図４】第１の実施例の一部を拡大して示す図である。
【図５】本発明に係る布帛構造の第２の実施例を概略して示す図である。
【図６】本発明に係る布帛構造の第２の実施例を概略して示す図である。
【図７】第２の実施例に係る布帛構造における電源モジュール、制御ユニット、及び電子モジュールの構成を示すブロック図である。
【図８】本発明に係る布帛構造の第３の実施例を概略して示す図である。
【図９】本発明に係る布帛構造の第３の実施例を概略して示す図である。
【図１０】図９の線Ｘ−Ｘの断面図である。
【図１１】第３の実施例の一部を拡大して示す図である。
【図１２】通路構造の拡大概略図である。
【図１３】第３の実施例に係る布帛構造における電源モジュール、制御ユニット、及び電子モジュールの構成を示すブロック図である。
【図１４】本発明に係る布帛構造の第４の実施例を概略して示す図である。
【図１５】本発明に係る布帛構造の第４の実施例を概略して示す図である。
【図１６】図１５の線ＸVI−ＸVIの断面図である。
【図１７】第４の実施例の一部を拡大して示す図である。
【図１８】通路構造の他例を概略して示す図である。
【図１９】通路構造の他例を概略して示す図である。
【発明を実施するための形態】
【００１２】
以下、本発明の布帛構造におけるいくつかの実施例について図面を参照して説明する。なお、同一構成及び機能を有する構成要素については、同一番号を付してその説明を省略する。
【００１３】
（第１の実施例）
図１〜図４は、本発明に係る布帛構造の第１の実施例を示している。第１の実施例に係る布帛構造は、図示のように、布帛１と電子モジュール２と制御ユニットと電源モジュール３とを備えている。
【００１４】
布帛１は、ユーザーに着用される布帛本体１１を有する。なお、ユーザーとは、防寒する対象や、警備員、患者等をいう。布帛１は、この例では、ブラウスや、シャツ等の上着を挙げて説明するが、ズボン等の下着、ベスト、帽子、膝、肘、肩、手首等の箇所に付けるパッドでもよく、また、場合によっては座布団や毛布として応用することもでき、上記に限らないことは言うまでもない。
【００１５】
布帛本体１１は、ユーザーと接触する内側表面としての第１の面１１２と、該第１の面１１２と反対側であって外側表面としての第２の面１１３と、第１の面１１２と第２の面１１３との間に設けられた通路構造１１１とを有する。通路構造１１１は互いに交差して連通される複数の通路１１１ａを有する。通路構造１１１はまた、通路１１１ａが外部に連通するように第２の面１１３に設けられた開口１１１ｂを有する。
【００１６】
電子モジュール２は、複数の電子部品２１を有し、各電子部品２１は帯状になり、開口１１１ｂを介して通路１１１ａに延伸されるように設けられている。
【００１７】
電子部品２１は、この例では、電熱線である。電子部品２１である電熱線が通電すると発熱することで布帛１が防寒可能なアイテムとなる。電子部品２１は電熱線である場合、必要に応じて様々の形を以って通路構造１１１に配置可能である。ユーザーの温める必要のある箇所と温める必要のない箇所とに応じて、電子部品２１の電熱線を増減して配置することができる。例えば、ユーザーの温める箇所として例えばユーザーの胸部と背中部に電熱線の数を増加・集中して配置し、胸部と背中部を除く箇所には電子部品２１の電熱線の数を減らして配置し又は配置しなくもよい。
【００１８】
制御ユニットは、布帛本体１１に設けられ、電源モジュール３から電力が受けられるように電源モジュール３と電気的に接続可能に設けられている。また、制御ユニットは、電源モジュール３から電力を受けると電子モジュール２の作動を制御可能に電子モジュール２に電気的に接続されている。
【００１９】
布帛本体１１の第２の面１１３は、通路１１１ａと連通する取付孔１１３ａが設けられている。制御ユニットは、布帛本体１１の第２の面１１３から露出するように取付孔１１３ａに設けられたスイッチモジュール２２を備えている。スイッチモジュール２２は、電源モジュール３と電子部品２１とが電気的に接続可能に切り替えるように電源モジュール３及び電子部品２１の間に設けられている。
【００２０】
ユーザーは布帛構造を用いて温めない時は、スイッチモジュール２２を操作して、電源モジュール３と電子部品２１との間を遮断するように切り替える。また、ユーザーは布帛構造を用いて温めたい時は、スイッチモジュール２２を操作して、電源モジュール３と電子部品２１との間を電気的に導通するように切り替える。なお、電子モジュール２はこの例ではスイッチモジュール２２を用いて電源モジュール３と電子部品２１との間の導通／遮断を切り替えるが、これに限らず、場合によってスイッチモジュール２２がなくてもよい。
【００２１】
図２に示されているように、電源モジュール３は制御ユニットに電気的に接続されている。この例では、電源モジュール３は充電式バッテリーモジュールであり、充電式バッテリー３１とバッテリー３１を充電する充電器３２とを有する。
【００２２】
布帛１は、布帛本体１１の第２の面１１３と連結されたポーチ本体１２を更に有し、ポーチ本体１２は、布帛本体１１の第２の面１１３と共にパス１３を画成している。ポーチ本体１２は、電源モジュール３を収容する収納空間１２１が形成され、パス１３と収納空間１２１の間に開口１１１ｂとそろえるように設けられたアパーチャ１２２を有する。
【００２３】
電子部品２１は導線２１２を有する。導線２１２は、スイッチモジュール２２に電気的に接続された第１の接続端部（第１の端部）２１２ａと、第１の接続端部２１２ａの反対側の第２の接続端部（第２の端部）２１２ｂとを有する。第２の接続端部２１２ｂは、充電式バッテリー３１に繋ぐために、開口１１１ｂ、パス１３、アパーチャ１２２、収納空間１２１を介して延伸され、ポーチ本体１２から抜け出るようになっている。
【００２４】
充電式バッテリー３１は、導線２１２の第２の接続端部２１２ｂに取り外し可能に電気的に連結され、電子部品２１の電熱線を操作するための電力を供給する。
【００２５】
充電器３２は、充電式バッテリー３１及び外部電源のソケットの間に繋ぐように設けられ、充電式バッテリー３１の充電に用いられる。第１の実施例が従来の電熱ウェアと違うのは、電源モジュール３が取り外し可能にされ、電子部品２１が通路構造１１１に収容される点にある。電子部品２１が通路構造１１１に収容される構成は、外力の衝撃を受けても簡単にずれたり離脱することがない。これによって、この例に係る布帛構造が汚れて洗浄される時、まず充電式バッテリー３１を収納空間１２１から取り外して、布帛１を洗濯等により洗浄することができる。
【００２６】
なお、電源モジュール３は、充電式バッテリー３１が着脱可能の形態を挙げて説明したが、充電式バッテリー３１が電子モジュール２に固定されて電気的に接続される別の電源の形にされてもよく、上記に限らない。
【００２７】
布帛本体１１及びポーチ本体１２の間には、パス１３と連通する定位孔１３１が設けられている。布帛１は、ポーチ本体１２から離れた位置で布帛本体１１の第２の面１１３と連結された固定リング１４と、定位孔１３１、パス１３及び固定リング１４を通して延伸され、布帛本体１１の第２の面１１３の周りに延伸される調節紐１５とが設けられている。
【００２８】
調節紐１５は、例えばベルト状になり、ユーザーのウェストのサイズに合わせて引き締めることができるように、例えば弾性材質又はボタン穴が開いたゴムベルトとボタンで収縮性を有するアジャスター機能を有するものである。また、調節紐１５をユーザーのウェストに近寄せることによって定位孔１３１とポーチ本体１２もユーザーから大きく離れることなくぴったりと近寄せるよう位置付けることができる。従って、ポーチ本体１２に収容された電源モジュール３の充電式バッテリー３１が揺れたりふらついたりすることなく位置付けて使用することができる。
【００２９】
なお、固定リング１４、調節紐１５、定位孔１３１、及びポーチ本体１２は、充電式バッテリー３１を装着するために用いられ、場合によっては設けなくてもよい。
【００３０】
第１の実施例の布帛構造は、電子部品２１として保温に用いられるために発熱機能を有する構成を挙げて説明したが、これに限らない。
【００３１】
（第２の実施例）
図５と図６は、本発明に係る布帛構造の第２の実施例を示している。図７は、第２の実施例に係る布帛構造における主要構成を示すブロック図である。第２の実施例に係る布帛構造では、図７に示されているように、電源モジュール３、制御ユニット、及び電子モジュール２が電気的に接続されている。制御ユニットは、スイッチモジュール２２を備えている。
【００３２】
第２の実施例に係る布帛構造は、第１の実施例の布帛構造とほぼ同様であるが、布帛１´はユーザーの腰、腹を保温するためにガードルの形をしたものである。布帛本体１１´は例えばユーザーの腰部周りに対応して覆うように設けられ、ユーザーの腰部の前身側に対応してカバーする前面部（第１の部分）１１４と、腰部の背中側に対応してカバーする後面部（第２の部分）１１５と、着心地をよくするために大腿部外側に対応して通気性のある網でカバーする左右一対の側部（図示せず）とを有する。
【００３３】
スイッチモジュール２２は更に、電子部品２１の電熱線を通して流れる電力の量を制御し、電熱線２１の生成する熱の大きさを制御するように用いられる。電子モジュール２の電熱線２１は、複数のグループを有し、具体的には、布帛本体１１´の前面部１１４に配置された第１の電熱線グループ２１ａと、布帛本体１１´の後面部１１５に配置された第２の電熱線グループ２１ｂと、を含む。
【００３４】
この例では、制御ユニットのスイッチモジュール２２は、第１の電熱線グループ２１ａ及び電源モジュール３の間に電気的に接続された第１のスイッチ素子２２１と、第２の電熱線グループ２１ｂ及び電源モジュール３の間に電気的に接続された第２のスイッチ素子２２２とを含む。また、第１のスイッチ素子２２１と第２のスイッチ素子２２２は、導線２１２を介して電源モジュール３に電気的に接続されている。
【００３５】
第１のスイッチ素子２２１と第２のスイッチ素子２２２はそれぞれ、電源モジュール３と第１の電熱線グループ２１ａ、第２の電熱線グループ２１ｂの対応するいずれかのグループとが電気的に接続されるように切換えるように操作される。これによって、第１の電熱線グループ２１ａ又は第２の電熱線グループ２１ｂを通して流れる電力の大きさを制御することができる。従って、第１の電熱線グループ２１ａ又は第２の電熱線グループ２１ｂが生成する熱の大きさを制御することができる。
【００３６】
なお、ここでは、電熱線を用いて２つのグループを含む電子部品２１を例を挙げて説明したが、布帛１´の保温箇所に応じて電熱線の配置密度を決めることができ、上記の例に限らない。また、スイッチモジュール２２は、電熱線２１の２つのグループに応じて第１のスイッチ素子２２１と第２のスイッチ素子２２２とを含む例を挙げて説明したが、上記の例に限らないことは言うまでもない。
【００３７】
この例では、第１のスイッチ素子２２１と第２のスイッチ素子２２２は押しボタンの形にされ、また、第１の電熱線グループ２１ａ、第２の電熱線グループ２１ｂは、それぞれの温度を高、中、低の３段階に切り替えるようにされている。例えば、第１のスイッチ素子２２１を長く押すと、第１の電熱線グループ２１ａと電源モジュール３とが電気的に接続され、第１の電熱線グループ２１ａが通電して発熱する。第１のスイッチ素子２２１を短く押すと、第１の電熱線グループ２１ａを所定の温度段階に変更する。そして、第１のスイッチ素子２２１を再び長く押すと、第１の電熱線グループ２１ａと電源モジュール３との電気的接続が遮断される。
【００３８】
また、この例では、第１のスイッチ素子２２１又は／及び第２のスイッチ素子２２２を振動するように駆動させ、ユーザーに第１の電熱線グループ２１ａ又は／及び第２の電熱線グループ２１ｂの現在温度段階を通知する。例えば、第１の電熱線グループ２１ａが“高”の温度レベルに設定された場合、第１のスイッチ素子２２１を３回だけ振動させ、“中”の温度レベルに設定された場合、第１のスイッチ素子２２１を２回だけ振動させ、“低”の温度レベルに設定された場合、第１のスイッチ素子２２１を１回だけ振動させる。
【００３９】
なお、第２のスイッチ素子２２２の動作、第２の電熱線グループ２１ｂの温度設定操作も、第１のスイッチ素子２２１、第１の電熱線グループ２１ａと同様なので、その説明を省略する。
【００４０】
別の例としては、第１のスイッチ素子２２１と第２のスイッチ素子２２２は発光駆動されることによって、ユーザーに第１の電熱線グループ２１ａ、第２の電熱線グループ２１ｂの現在温度段階を通知するようにしてもよい。第１のスイッチ素子２２１、第１の電熱線グループ２１ａの動作は、第２のスイッチ素子２２２、第２の電熱線グループ２１ｂの動作と同様なので、第１のスイッチ素子２２１、第１の電熱線グループ２１ａについてだけ説明する。第１の電熱線グループ２１ａが“高”の温度レベルに設定された場合、第１のスイッチ素子２２１を赤色光で長く発光させ、“中”の温度レベルに設定された場合、白色光で長く発光させ、“低”の温度レベルに設定された場合、青色光で長く発光させる。
【００４１】
この実施例に係る布帛構造は、自動電源ＯＦＦ機能（automatic power off function）がついている。もし、第１の電熱線グループ２１ａ又は／及び第２の電熱線グループ２１ｂは、約３０分間続いて発熱すると、布帛構造の自動電源ＯＦＦ機能によって、自動的に電源を切ることができる。これによって、布帛構造がより安全に使用される。
【００４２】
（第３の実施例）
図８〜図１１は、本発明に係る布帛構造の第３の実施例の構成を示し、図１２は、通路構造１１１の拡大断面図、図１３は、第３の実施例に係る布帛構造における主要構成を示すブロック図である。第３の実施例に係る布帛構造では、図１３に示されているように、電源モジュール３、制御ユニット、及び電子モジュール２が電気的に接続されている。第３の実施例に係る布帛構造は、第１の実施例とはほぼ同一であるが、警備や、交通誘導、夜間作業、娯楽活動等に適用されるよう、布帛構造における布帛本体１１ａに発光機能がついている。
【００４３】
布帛本体１１ａの第２の面１１３は、光透過性を有する。電子モジュール２は、複数の電子部品２１を有し、各電子部品２１は帯状の発光素子２３１からなっている。各帯状発光素子２３１は、互いに直列接続された複数の発光ダイオード２３１ａからなっている。これによって、電子モジュール２は、複数の発光モードに切り替えるように構成されている。
【００４４】
この例では、制御ユニットは、図１３に示されているように、入力ユニット２４と制御モジュール２５とを有する。入力ユニット２４は、布帛本体１１ａの第２の面１１３から露出するように取付孔１１３ａに設けられている。制御モジュール２５は、導線２１２、入力ユニット２４及び帯状発光素子２３１を介して電源モジュール３に電気的に接続されている。導線２１２の第１の接続端部２１２ａが制御モジュール２５と電気的に接続されている。
【００４５】
入力ユニット２４は、操作されると、一つの発光モードに関連する入力信号が生成される。制御モジュール２５は、電気モジュール３から電力が受けられ、入力ユニット２４から入力信号が入力される。制御モジュール２５は、受けた電力及び受信した入力信号に基づいて複数の制御信号を生成し、生成された複数の制御信号を帯状発光素子２３１に送るように構成されている。このように、帯状発光素子２３１は、制御信号に基づいて発光すると、所定の発光モードを表すことができる。
【００４６】
入力ユニット２４及び制御モジュール２５は、ユーザーが必要に応じて発光素子２３１の発光モードを制御する際に提供されて用いられるが、場合によっては設けなくてもよい。なお、帯状発光素子２３１は、異なる視覚効果を有するために様々な配置にされてもよいことに留意されたい。
【００４７】
通路構造１１１は、図１２に示されているように、第１〜第７の区画Ｌ１〜Ｌ７を含み、第１〜第７の区画Ｌ１〜Ｌ７により数字“８”に構成される。７つの帯状発光素子２３１は、７つの区画Ｌ１〜Ｌ７に配置された場合、入力ユニット２４及び制御モジュール２５を用いて帯状発光素子２３１を制御して発光により異なる数字が表示される。例えば、帯状発光素子２３１は、第３の区画Ｌ３と第７の区画Ｌ７とにより数字“１”が表示され、又は、第１の区画Ｌ１、第３の区画Ｌ３、第４の区画Ｌ４、第６の区画Ｌ６及び第７の区画Ｌ７により数字“３”が表示される。もし、他の数字ではなく数字“８”だけを表示する場合、一つの帯状発光素子２３１を用いて７つの区画Ｌ１〜Ｌ７に配置してもよい。
【００４８】
また、通路構造１１１は更に第８〜第１２の区画Ｌ８〜Ｌ１２を含む。１２本の帯状発光素子２３１は１２個の区画に配置されると、表示できる視覚効果がより多種となる。例えば、まず、第１の区画Ｌ１、第３の区画Ｌ３、第４の区画Ｌ４、第６の区画Ｌ６及び第７の区画Ｌ７に配置された帯状発光素子２３１が発光操作されると、図１２の真ん中にて数字“３”が表示される。そして、第１の区画Ｌ１、第３の区画Ｌ３、第４の区画Ｌ４、第６の区画Ｌ６及び第７の区画Ｌ７に配置された帯状発光素子２３１をオフにし、第８〜第１２の区画Ｌ８〜Ｌ１２に配置された帯状発光素子２３１を発光操作すると、図１２の右側にて数字“３”が表示される。このように数字“３”が図１２の真ん中から右側に移動された効果が得られる。同様に、数字“３”を図１２の右側から真ん中に移動してもよい。このように、所定の時間だけをもって連続して点灯したり消灯したりすることによって点灯位置が連続して変わる走馬灯のような視覚効果が得られる。以上のように、帯状発光素子２３１を様々なパターンに配置すると、様々な視覚効果を得ることができる。
【００４９】
（第４の実施例）
図１４〜図１７は、本発明に係る布帛構造の第４の実施例の構成を示している。第４の実施例に係る布帛構造は、第１の実施例と略同様であるが、複数の電子部品２１が医療装置（図示せず）と電気的に繋ぐように構成されることに異なる。各電子部品２１は導電線の形にされ、布帛１ｂの布帛本体１１ｂの第２の面１１３から出るように延伸された第１の端部と第１の端部と反対側の第２の端部とを有する。
【００５０】
電子モジュール２は、布帛本体１１ｂの第１の面（内側）１１２に設けられた複数の導電パッド１１２ａを有し、各導電パッド１１２ａは、対応する電子部品２１の第２の端部と電気的に接続されている。なお、電子部品２１の導電線、導電パッド１１２ａはそれぞれ４つだけ用いられているが、場合によって２つ、３つ、５つ以上でもよく、これに限らない。
【００５１】
この例に用いられる医療装置は、例えば患者の生理状態を収集・監視する生理信号測定装置である。電子部品２１としての導電線は、導線２１２を介して生理信号測定装置に電気的に接続されている。導線２１２の第２の接続端部２１２ｂが生理信号測定装置と電気的に接続されている時、導線２１２の第１の接続端部２１２ａが導電線２１の第２の端部（各導電パッド１１２ａが接続されている端部）と電気的に接続されている。布帛本体１１ｂの第１の面（内側）１１２が４つの導電パッド１１２ａを用いて患者と接触し、患者の体の異なる４箇所に位置決めされて貼着される。図１５に示されているように、導電パッド１１２ａは患者の生理信号を受信するセンシングパッドとして用いられる。受信された生理信号が対応する電子部品２１の導電線の第２の端部及び導線２１２の第２の接続端部２１２ｂを介して生理信号測定装置に送出される。
【００５２】
上記の例では、医療装置は患者の生理状態を収集・監視する生理信号測定装置を以って説明したが、複数の導電パッド１１２ａ間に電位差を形成する電気療法装置であってもよい。布帛本体１１ａの第１の面（内側）１１２が患者と接触し、電子部品２１の導電線の第２の端部によって電気療法装置から４つの導電パッド１１２ａを用いて電気信号を受信し、受信された電気信号を導電線２１及び導電パッド１１２ａを介して患者に送り、電気療法を行う。
【００５３】
この例では、導線２１２は１本だけを例として説明したが、場合によって２本又はそれ以上使ってもよく、これに限らないことは言うまでもない。
【００５４】
図４、図１１、図１７を参照すると、上記の実施例では、通路構造１１１の通路１１１ａは、複数の四角形状になるように互いに連通されているが、図１８に示されているように、複数の三角形状になってもよく、又は図１９に示されているように、複数の六角形状になってもよく、上記の形状に限らないことは言うまでもない。
【００５５】
上記の例では、布帛本体１１、１１´、１１ａ、１１ｂは、一枚状に形成されているが、２層の布帛生地でなってもよく、これに限らない。
【００５６】
本発明に係る布帛構造の電子部品２１は、通路構造１１１に配置されているので、外力等により布帛本体１１、１１´、１１ａ、１１ｂから簡単にずれたり脱落することはなくなり、安定して布帛１、１´、１ａ、１ｂに位置決めされて配置されることができる。また、通路構造１１１により、電子部品２１が様々な形に配置されることができる。
【００５７】
また、導電パッド１１２ａは、布帛本体１１ｂの第１の面（内側）１１２に設けられ、電子部品２１は布帛本体１１ｂの通路構造１１１に至るまで延伸されているので、医療装置に適用される時、電子部品２１を患者の特定箇所に連結する必要がなくなる。導電パッド１１２ａが予め設置された布帛１ｂを着るだけで、導電パッド１１２ａ及び電子部品２１を介して信号を医療装置に送る又は電位差を患者に送ることができる。
【００５８】
以上、本発明の好ましい実施形態を説明したが、本発明はこれに限定されるものではなく、その要旨を逸脱しない範囲で種々変更可能であることはいうまでもない。
【産業上の利用可能性】
【００５９】
本発明に係る布帛構造は、電熱線や導線が装着された電子機能付布帛に有用である。
【符号の説明】
【００６０】
１、１´、１ａ、１ｂ  布帛
１１、１１´、１１ａ、１１ｂ  布帛本体
１１１  通路構造
１１１ａ  通路
１１１ｂ  開口
１１２  第１の面（内側）
１１２ａ  導電パッド
１１３  第２の面（外側）
１１３ａ  取付孔
１１４  前面部
１１５  後面部
１２  ポーチ本体
１２１  収納空間
１２２  アパーチャ
１３  パス
１３１  定位孔
１４  固定リング
１５  調節紐
２  電子モジュール
２１  電子部品
２１ａ  第１の電熱線グループ
２１ｂ  第２の電熱線グループ
２１２  導線
２１２ａ  第１の接続端部
２１２ｂ  第２の接続端部
２２  スイッチモジュール
２２１  第１のスイッチ素子
２２２  第２のスイッチ素子
２３１  発光素子
２３１ａ  発光ダイオード
２４  入力ユニット
２５  制御モジュール
３  電源モジュール
３１  バッテリー
３２  充電器
Ｌ１〜Ｌ１２  区画
【図１】
2018182285.tif 000003
【図２】
2018182285.tif 000004
【図３】
2018182285.tif 000005
【図４】
2018182285.tif 000006
【図５】
2018182285.tif 000007
【図６】
2018182285.tif 000008
【図７】
2018182285.tif 000009
【図８】
2018182285.tif 000010
【図９】
2018182285.tif 000011
【図１０】
2018182285.tif 000012
【図１１】
2018182285.tif 000013
【図１２】
2018182285.tif 000014
【図１３】
2018182285.tif 000015
【図１４】
2018182285.tif 000016
【図１５】
2018182285.tif 000017
【図１６】
2018182285.tif 000018
【図１７】
2018182285.tif 000019
【図１８】
2018182285.tif 000020
【図１９】
2018182285.tif 000021